(57)【要約】【課題】主に蒸気発生の視認性を高め炊飯器の使い勝手を向上したことを目的としたものである。【解決手段】上面開口状で、鍋２を着脱自在に収納した炊飯器本体１と、前記鍋２を加熱する加熱手段９と、前記炊飯器本体１の上面開口部を覆う蓋体４と、炊飯中に発生する蒸気を前記蓋体４の外部に導く蒸気通路部７と、蒸気の排出時にその蒸気の力で回転する回転体１６とを具備し、前記回転体１６、およびその対応部位には磁石１８とコイル１９を配置して蒸気流によりコイル１９に電力を発生させ、例えば報知手段を作動させるようにした。【選択図】図１
2010194079.tif 000002
【特許請求の範囲】
【請求項１】
上面開口状で、鍋を着脱自在に収納した炊飯器本体と、前記鍋を加熱する加熱手段と、前記炊飯器本体の上面開口部を覆う蓋体と、炊飯中に発生する蒸気を前記蓋体の外部に導く蒸気通路部と、蒸気の排出時にその蒸気の力で回転する回転体とを具備し、前記回転体、およびその対応部位には磁石とコイルを配置して蒸気流により発電させるようにした炊飯器。
【請求項２】
円錐形状であって、側面には蒸気排出用の穴を、根元にはおねばを炊飯器本体に還流する穴をそれぞれ有するとともに、蒸気通路部に配置されたホルダーで回転体を軸支した請求項１記載の炊飯器。
【請求項３】
回転体を蒸気排出用の穴をもつカバーで覆った請求項１または２記載の炊飯器。
【請求項４】
コイルで発生する電力を電源として報知手段を作動させるようにした請求項１記載の炊飯器。
【請求項５】
報知手段をＬＥＤで構成した請求項４記載の炊飯器。
【請求項６】
コイルで発生する電力で補助電源のコンデンサを充電するようにした請求項１記載の炊飯器。
【発明の詳細な説明】
【技術分野】
【０００１】
本発明は、主として一般家庭で使用される炊飯器に関するものである。
【背景技術】
【０００２】
従来のこの種の炊飯器の構成を図６を用いて説明する。
【０００３】
蓋１０１を開閉した際に移動するフロート１０２を内部に有する蒸気筒１０３と、このフロート１０３の移動を検知するフロート検知部１０４を具備している。
【０００４】
蓋１０１を開くとフロート１０２が蓋ヒンジ部１０５側に移動するため、その開蓋を検知でき、また、フロート１０２の存在の有無により蒸気筒１０３の着脱を検知できるようにしている。
【０００５】
また、フロート１０２は、蓋１０１が閉まった状態で蒸気の吹き出し口１０６の上部を覆うように設定されている。
【０００６】
フロート１０２は、円筒状、または球状の接触抵抗少ない形状の磁石により形成し、一方、蒸気筒１０３には、フロート１０２の上部側にクリアランスを広く確保した蒸気流路１０７を設けている。
【０００７】
１０８はフロート１０２の移動をガイドするガイド溝、１０９はおねば吹き出し口である。
【０００８】
前記ガイド溝１０８はおねばの通過道を形成するとともに、フロート１０２がおねばによって移動不可能となるのを防止する。
【０００９】
また、フロート検知部１０４によりフロート１０２の動きを検知し、その検知内容に応じて発熱体への電力の供給を制御するようにしており、この例では加熱コイル１１０への高周波電力の供給を制御するようにしている（例えば、特許文献１参照）。
【特許文献１】特開平１１−５６６０９号公報
【発明の開示】
【発明が解決しようとする課題】
【００１０】
しかしながら、上記の従来の構成の炊飯器では、フロート検知部１０４により、フロート１０２の動きを検知し、その検知内容に応じて加熱コイル１１０への高周波電力の供給を制御するよう形成しており、また、従来よりも小スペースな蒸気筒１０３を使用できる構成となっているが、炊飯中に発生する蒸気が炊飯器本体から排出中かどうかがわかりにくかった。
【００１１】
本発明は、前記従来の課題を解決するもので、炊飯中に発生する蒸気の炊飯器本体から排出中を解りやすくして使い勝手の良い炊飯器を提供することを目的としている。
【課題を解決するための手段】
【００１２】
前記従来の課題を解決するために、本発明の炊飯器は、上面開口状で、鍋を着脱自在に収納した炊飯器本体と、前記鍋を加熱する加熱手段と、前記炊飯器本体の上面開口部を覆う蓋体と、炊飯中に発生する蒸気を前記蓋体の外部に導く蒸気通路部と、蒸気の排出時にその蒸気の力で回転する回転体とを具備し、前記回転体、およびその対応部位には磁石と
コイルを配置して蒸気流により発電させるようにしたものである。
【００１３】
したがって、蒸気および／またはおねばが発生しているときには、回転体が回転されて、コイルに電力が生起され、例えば、その電力で報知手段などを作動させることができるものである。
【発明の効果】
【００１４】
本発明の炊飯器は、炊飯中に発生する蒸気などを利用して発電することにより、蓋体に設けたＬＥＤなどの電気的報知手段を作動させることができ、これにより、蒸気などの発生状況の視認性を高め、使い勝手を著しく向上できるものである。
【発明を実施するための最良の形態】
【００１５】
第１の発明は、上面開口状で、鍋を着脱自在に収納した炊飯器本体と、前記鍋を加熱する加熱手段と、前記炊飯器本体の上面開口部を覆う蓋体と、炊飯中に発生する蒸気を前記蓋体の外部に導く蒸気通路部と、蒸気の排出時にその蒸気の力で回転する回転体とを具備し、前記回転体、およびその対応部位には磁石とコイルを配置して蒸気流により発電させるようにしたものである。
【００１６】
したがって、蒸気の発生をコイルの電流で検知できる。
【００１７】
第２の発明は、前記第１の発明において、前記回転体は、円錐形状であって、側面には蒸気排出用の穴を、根元にはおねばを炊飯器本体に還流する穴をそれぞれ有するとともに、蒸気通路部に配置されたホルダーで軸支した。
【００１８】
第３の発明は、前記第１または第２の発明において、回転体を蒸気排出用の穴をもつカバーで覆って、その回転を確実なものとしたものである。
【００１９】
第４の発明は、前記第１の発明において、コイルで発生する電力を電源として報知手段を作動させるようにしたもので、上記の発生の視認性を高めたものである。
【００２０】
第５の発明は、前記第４の発明において、報知手段は、例えば、ＬＥＤで構成した。
【００２１】
第６の発明は、前記第１の発明において、コイルで発生する電力で補助電源のコンデンサを充電することも考えられる。
【００２２】
以下本発明の実施の形態を図面を参照して説明する。なお、実施の形態が本発明を限定するものではない。
【００２３】
（実施の形態１）
図１〜４において、炊飯器本体１の内部にはフランジ付きの鍋２が着脱自在に収納してあり、また、炊飯器本体１の後方に設けたヒンジ部３を介して蓋体４が開閉自在に軸支されている。
【００２４】
前記蓋体４の内部には、ご飯を上面から加熱する蓋ヒータ５と、この熱を伝導するアルミニウム製の放熱板６とを設けるとともに、前記鍋２内と連道して炊飯中に発生する蒸気を外部に導く蒸気通路部７が設けてある。
【００２５】
また、放熱板６の外周部には鍋２との間をシールする鍋パッキン８が介在してある。
【００２６】
炊飯器本体１内部には、鍋２の加熱手段９のほか、キー操作部とともに、蓋ヒータ５の
制御、時間表示、メニュー表示用液晶１０、および電源コンセントを抜いた時のマイコンプログラムのバックアップ用電池１１を備えた基板１２が配設してある。
【００２７】
前記蒸気通路部７には、円錐形状で、しかも側面に炊飯中に発生する蒸気を排出する穴１３を１８０度反対位置に設けるとともに、根元部位におねばを炊飯器本体１内に還流する穴１４を１８０度反対位置にも設けたホルダー１５が配置してある。
【００２８】
前記ホルダー１５に内設した円弧状の回転体１６は、頂点を中心にして回転自在であり、その内側には前記穴１３と対向して羽根１７が形成してある。
【００２９】
さらに、回転体１６の周方向に交互にＮ極とＳ極とした複数の磁石１８を設け、一方、これら磁石１８と対向して蓋体４側には複数のコイル１９が配置してある。
【００３０】
前記回転体７の上方に、炊飯中に発生する蒸気を外方に排出する穴２０を有したカバー２１で覆われている。
【００３１】
また、前記回転体１６の中央の内外面に形成した凸部は、前記ホルダー１５、およびカバー２１に設けた凹部で支持されるようにしてある。
【００３２】
この構成により、炊飯中に発生する蒸気やおねばは、蒸気通路部７からホルダー１５に導かれる。
【００３３】
ホルダー１５は円錐形状をしており排出する穴１３の位置では蒸気通路部７の径が小さくなることにより、炊飯中に発生する蒸気やおねばの流速が増すことになる。
【００３４】
この状態で蒸気やおねばは穴１３から回転体１６の羽根１７に噴出され、その力を受けて回転体１６が回転する。
【００３５】
そして、回転体１６の内側に噴出した蒸気やおねばは、同回転体１６の回転遠心力で分離され、比重の重いおねばはホルダー１５も根元に溜まり、おねば還流用の穴１４より鍋２に還流される。
【００３６】
また、回転体１６の外周には相互にＮ極、Ｓ極とした磁石１８を設け、前記蓋体４内にはそれら磁石１８と対向するようにコイル１９を配設して一種の発電機能を構成しており、コイル１９に電力が発生する。
【００３７】
したがって、発生した電力によりＬＥＤなどの報知手段２２を作動させるようにしておけば、蒸気やおねばの発生を視覚的に表現できることとなる。
【００３８】
（実施の形態２）
図５は実施の形態２を示し、磁石１８、およびコイル１９を８個ずつ配置し、各コイル１９は直列に接続して基板上のコンデンサ２３を充電するようにしたものである。
【００３９】
なお、図３，４と同作用を行う部分には同一符号を付し、具体的説明は実施の形態１のものを援用する。
【００４０】
このように構成することで、従来であれば時間表示やメニューを表示する液晶と炊飯器本体１の電源コンセントを抜いた時のバックアップをしていた電池が消耗すれば表示しなくなり交換が必要になっていたが本実施の形態では電池交換が不要となる。また、分解時に電池だけを取り出す必要もなくなり分別性が向上する。
【産業上の利用可能性】
【００４１】
以上のように本発明にかかる炊飯器は、炊飯中に発生する蒸気の炊飯器本体から排出中を解りやすくし、蒸気排出部に手などに手など近づけないようするなどの注意喚起の表示とすることもできる。また、長年使用した場合の電池が消耗し電池交換を不要にするとともに、分解時の分別性の向上した炊飯器を提供することができるので、家庭用のみならず業務用の炊飯器等の用途にも応用できる。
【図面の簡単な説明】
【００４２】
【図１】本発明の実施の形態１における炊飯器を示す断面図
【図２】同炊飯器の要部断面図
【図３】同炊飯器の要部下面図
【図４】同炊飯器の要部拡大下面図
【図５】本発明の実施の形態２における炊飯器の要部下面図
【図６】従来例の炊飯器の断面図
【符号の説明】
【００４３】
１  炊飯器本体
２  鍋
４  蓋体
７  蒸気通路部
９  鍋の加熱手段
１５  ホルダー
１８  磁石
１９  コイル
２１  カバー
２２  報知手段
２３  コンデンサ
【図１】
2010194079.tif 000003
【図２】
2010194079.tif 000004
【図３】
2010194079.tif 000005
【図４】
2010194079.tif 000006
【図５】
2010194079.tif 000007
【図６】
2010194079.tif 000008